(57)【要約】【課題】本発明はリモートコントロール・スマート一体化電気炊飯器を提供する。【解決手段】リモートコントロール・スマート一体化電気炊飯器であって、ハウジングにIPリモートコントロール操作システム、現場の鍋蓋を操作・制御・表示するシステムが設けられ、内部に米箱システム、米測定システム、洗米・加水システム及び炊飯システムが設けられる。該電気炊飯器はネットワークでリモート制御でき、インターフェースで操作でき、さらに予約機能を備える。【選択図】図2
2015531254.tif 000002
【特許請求の範囲】
【請求項１】
ハウジングはIPリモートコントロール操作システムと、現場の鍋蓋を操作・制御・表示するシステムとを有し、
内部には米箱システム、米測定システム、洗米・加水システム及び炊飯システムが設けられることを特徴とするリモートコントロール・スマート一体化電気炊飯器。
【請求項２】
前記表示システムは7インチタッチパネルと7インチLCDハイビジョン広視野角ディスプレイを有し、
内部はメインコントローラ機AMR Samsungプログラム制御回路を有し、
WIFIリモート自動ウェイクアップ制御機能を有し、リモートWIFIネットワークで制御することができ、マシンインタフェース操作（Machine interface operation）することができることを特徴とする請求項１に記載の鍋蓋操作制御表示システム。
【請求項３】
前記米箱システムにおいて回転装置を有し、下には開口が設けられ、前記開口が制御電磁弁に接続され、前記米箱は米を保存する機能とUV殺菌機能を有することを特徴とする請求項１に記載の米箱システム。
【請求項４】
Ａ／Ｄ変換（Electronic analog to digital conversion）を実現する変形センサーが2個設けられ、米の重量を正確に制御することを特徴とする請求項１に記載の米測定システム。
【請求項５】
前記洗米システムは増減圧箱、高圧装置、洗米装置を有し、
また、米は米箱から洗米装置に移動される時に、高圧装置により増減圧箱から水を調達してきて、増減圧箱には高さ検出用赤外検出回路が取り付けられ、洗米装置の米に対して高圧により洗浄し、洗浄するとともに米が洗米パイプに送り込まれることを特徴とする請求項１に記載の洗米・加水システム。
【請求項６】
前記炊飯システムは
炊飯器、炊飯器の排水装置、加熱板を含み、前記炊飯器が加熱板の上に取り付けられ、加熱板と炊飯器が上下に移動することができて、排水位置と、注水・洗米位置と、炊飯位置と、鍋蓋のオン/オフ・ご飯を取る位置との合計4つの位置が設けられることを特徴とする請求項１に記載の炊飯システム。
【請求項７】
炊飯器と加熱板の中心には、洗米した後に廃水の排出用排水孔が設けられて、異なる位置状態が設けられ、炊飯器の底部により排水し、気密性の課題を解決し、加熱板と合理的かつ有効に貼り付けられることを特徴とする請求項6に記載の炊飯器と加熱板。
【発明の詳細な説明】
【技術分野】
【０００１】
本発明は電気炊飯器に関し、特に、リモートコントロール・スマート一体化電気炊飯器に関する。
【背景技術】
【０００２】
生活ペースの加速に伴い、人々はますます忙しくなる。毎日ご飯を作るには必ず人々の貴重な時間がかかるため、従来の電気炊飯器は手で米を入れ、米を洗い、水を入れてご飯を作ることをしなければならず、かつ現場で操作する必要がある。
【発明の概要】
【発明が解決しようとする課題】
【０００３】
従来の電気炊飯器は現場において手で操作しなければならないという問題を解決するために、本発明はIPリモートコントロール操作システムと、現場の鍋蓋を操作・制御・表示するシステムと、米箱システムと、米測定システムと、洗米・加水システムと、炊飯システムとで主に構成されるリモートコントロール・スマート一体化電気炊飯器を提供する。
【課題を解決するための手段】
【０００４】
本発明は以下の技術的解決手段を用いる。
リモートコントロール・スマート一体化電気炊飯器において、IPリモートコントロール操作システム、現場の鍋蓋を操作・制御・表示するシステムを含み、ハウジングには米箱システム、米測定システム、洗米・加水システム、炊飯システムが設けられる。
【０００５】
前記IPリモートコントロール操作システムにおいて、該表示システムは7インチタッチパネル、7インチLCDハイビジョン広視野角ディスプレイ、メインコントローラ機AMR Samsungプログラム制御回路を有し、WIFIリモート自動ウェイクアップ制御機能を有する。表示システムにはステレオ音声プロンプト機能を有し、前記IPリモートコントロール操作システムが内部のMCUマイクロプロセッサシステムに接続される。
【０００６】
前記米箱システムにおいて、前記米箱システムの蓋にはUVランプ設備が設けられ、紫外線及びオゾン（O?）を利用して効果的に殺菌することができ、米に虫が存在しないようにすることができ、前記米箱システムには、米を入れる時及び米を下ろす時に倉庫における米の配置バランスを取る回転装置が設けられ、前記米箱システムの下には米を下ろす開口が設けられる。前記米箱システムの米を下ろす開口が制御電磁弁に接続される。
【０００７】
前記米測定システムにおいて、前記米測定システムにはデータを効率的かつ正確に測定できる変形センサーが２個設けられ、前記測定システムがMCUマイクロプロセッサに接続され、ソフトウェアにより収集された信号に対し識別・制御することを行って、直感的な方式によりLCDディスプレイに表示する。
【０００８】
前記洗米・加水システムにおいて、前記洗米・加水システムには増減圧箱、高圧装置、洗米装置が設けられ、米を米箱から洗米装置に下ろす時に、高圧装置を利用して増減圧箱から水を調達してきて、洗米装置の米に対して高圧で洗浄し、洗浄するとともに米を洗米パイプに送り込む。
【０００９】
前記炊飯システムは炊飯器、炊飯器の排水装置、加熱板を含み、前記炊飯器が加熱板の上に取り付けられ、加熱板と炊飯器が上下に移動することができて、排水位置と、注水・洗米位置と、炊飯位置と、鍋蓋のオン/オフ・ご飯を取る位置との合計4つの位置が設けられる。
【００１０】
本製品は上記の解決手段を用い、以下の利点を有する。
1.リモートネットワーク（例えばインターネットパソコン、ノートパソコン、スマートフォンなど）で設定して又はインターフェース操作により設定する。
2.米を入れ、洗米、炊飯の過程を自動的に行うことができる。
3.予約機能を有し、毎回予定される食事時間を設定することができ、本製品は必要な時間に応じて炊飯プロセスを完了し、ユーザーの貴重な時間を節約することができ、非常にユーザーフレンドリーである。
4.本製品は殺菌機能を有し、米箱の米の品質を保証でき、長い時間であっても米に虫が存在しない。
【００１１】
上述のように、リモートコントロール・スマート一体化電気炊飯器は操作が簡単で、機能がパワフルという利点を有し、家庭、学校、職場、ホテルなどで用いられる。
【図面の簡単な説明】
【００１２】
【図１】図1は本発明の立体構造を示す図である。
【図２】図2は本発明の鍋蓋をオンにする状態を示す図である。
【図３】図3は本発明の米を入れる状態を示す図である。
【図４】図4は本発明の操作表示システムの分解図である。
【図５】図5は本発明の鍋蓋、米蓋、及び中部ハウジングを除去する場合の分解図である。
【図６】図6は本発明の米箱システムの分解図である。
【図７】図7は本発明の米測定システムの分解図である。
【図８】図8は本発明の加熱炊飯システムの分解図である。
【図９】図9は本発明の米箱の測定及び米測定システムを示す図である。
【図１０】図10は本発明の水路システムを示す図である。
【図１１】図11は本発明の炊飯器、炊飯器の底部排水、加熱及び炊飯器昇降装置システムを示す図である。
【図１２】図12は本発明の分解図である。
【発明を実施するための形態】
【００１３】
以下は図面を用いて、本発明のリモートコントロール・スマート一体化電気炊飯器の装置に対して説明する。
【００１４】
図1から12に示されたように、本発明の前記現場の鍋蓋を操作・制御・表示するシステムにおいて、該表示システムは7インチタッチパネル（5）と7インチLCDハイビジョン広視野角ディスプレイ（6）を有し、メインコントローラ機AMR Samsungプログラム制御回路を有し、WIFIリモート自動ウェイクアップ制御機能を有する。表示システムはステレオ音声プロンプト機能を有し、前記鍋蓋表示システムが内部MCUマイクロプロセッサシステムに接続される。ハウジングの表面に位置し、ハウジングの上方に水平に移動することができる（3）。
【００１５】
前記米箱システムのハウジング（12）において、米箱システムの蓋にはUVランプ装置（10）が設けられ、効果的に殺菌することができ、米に虫が存在しないようにすることができ、前記米箱システムには米を入れる時及び米を下ろす時に倉庫の米のバランスを取る回転装置（11）が設けられ、前記米箱システムの下には米を下ろす開口（8）が設けられる。前記米箱システムの米を下ろす開口が制御電磁弁（13)に接続され、電磁弁が洗米箱(22)に接続される。
【００１６】
前記米測定システムには、データを効率的かつ正確に測定する変形センサー(14)(15)が２個設けられ、前記米測定システムがMCUマイクロプロセッサに接続され、米を下ろす電気弁(13)が起動する時、ソフトウェアによって収集した信号を識別・分析し、元の箱本体の重量から残りの箱本体の変化重量が得られ、変化量から必要な値が得られ、かつ米を下ろす電磁弁の作業を制御し、最終的に米測定作業を完了する。
【００１７】
前記洗米・加米システムに増減圧箱（24)、高圧装置（23)、洗米装置（22)が設けられ、米は米箱から洗米装置に米を下ろす時に、高圧装置により増減圧箱から水を調達してきて、洗米装置の米に対して高圧で洗浄し、洗浄するとともに米を洗米パイプ（22)に送り込む。
【００１８】
前記炊飯システムは炊飯器、炊飯器の排水装置（18)、加熱板（20)を含み、前記炊飯器（17)が加熱板（20)の上に取り付けられ、加熱板（20)と炊飯器（17)が上下に移動でき、排水位置と、注水・洗米位置と、炊飯位置と、鍋蓋のオン/オフ・ご飯を取る位置との合計4つの位置が設けられる。炊飯器（17)と加熱板（20)の中心に洗米した後に廃水の排出用排水孔が設けられる。前記炊飯システムにおいて、まず炊飯器（17)と加熱板（20)は常態位置に位置し、米と水が炊飯器に送り込まれる。上述のように必要な米量を入れた後に、加熱板（20)と炊飯器（17)が排水位置まで下降され、洗米の廃水を排水パイプで排出する。また、排出した後に加熱板（20)と炊飯器（17)が常態位置まで上昇され、再び一定の比率の清水が注入され、注入完了後に、加熱板（20)と炊飯器（17)が炊飯位置まで戻され、炊飯器（17)と鍋蓋が鍋蓋の封止盤（16)で接続されるとともにに加熱板（20)が炊飯完了まで加熱される。ご飯が出来上がった後に、鍋蓋の操作表示システムによって鍋蓋が開けられる。鍋蓋は後ろに移動されて米箱の上に停止する。炊飯器は炊飯位置からご飯を取る位置に上昇させられ、この時にご飯を取ることができる。
【図１】
2015531254.tif 000003
【図２】
2015531254.tif 000004
【図３】
2015531254.tif 000005
【図４】
2015531254.tif 000006
【図５】
2015531254.tif 000007
【図６】
2015531254.tif 000008
【図７】
2015531254.tif 000009
【図８】
2015531254.tif 000010
【図９】
2015531254.tif 000011
【図１０】
2015531254.tif 000012
【図１１】
2015531254.tif 000013
【図１２】
2015531254.tif 000014
【国際調査報告】
2015531254.tif 000015
2015531254.tif 000016
2015531254.tif 000017
2015531254.tif 000018
2015531254.tif 000019
2015531254.tif 000020
2015531254.tif 000021
2015531254.tif 000022